(57)【特許請求の範囲】
【請求項１】
射出成形機の制御装置に接続される操作パネルを有する信号処理装置であって、
ＩＭＰ、ＸＯＲ、ＮＩＭＰ及びＮＸＯＲを含む複数の論理演算式を表す項目を個々に表示しかつこれら論理演算式を表す項目を、それぞれの論理演算式を選択するためのスイッチ機能とする演算式選択部と、
前記演算式選択部によって選択された前記論理演算式の項目が入力される複数列の演算項目入力欄と、
前記射出成形機の状態を表わす複数種類の信号名を表示しかつこれら信号名の中から所望の信号名を選択するためのスイッチ機能を有する信号名選択部と、
前記演算項目入力欄ごとに設けられ、前記信号名選択部によって選択された信号名が入力される第１の信号入力欄と、
前記演算項目入力欄ごとに設けられ、前記信号名選択部によって選択された信号名が入力される第２の信号入力欄と、
前記射出成形機の運転中に前記第１の信号入力欄および前記第２の信号入力欄に入力されている各信号名に対応する各信号を前記演算項目入力欄に入力された項目の前記論理演算式に基いて処理することにより、前記射出成形機の周辺機器のための出力信号を得る論理演算実行手段と、
を具備したことを特徴とする射出成形機の信号処理装置。
【請求項２】
前記信号名選択部は、前記射出成形機の状態を表わす信号名以外にＩ／Ｏアドレスを直接入力するためのＩ／Ｏ選択部を有していることを特徴とする請求項１に記載の信号処理装置。
【請求項３】
前記操作パネルは、前記論理演算実行手段の論理演算によって得られる前記出力信号の動作タイミングを選択可能な動作タイミング選択部と、該動作タイミング選択部によって選択された前記動作タイミングを前記演算項目入力欄ごとに入力する動作タイミング入力欄とを有し、前記動作タイミングに応じて前記周辺機器に前記出力信号を出力することを特徴とする請求項１または２に記載の信号処理装置。
【請求項４】
前記操作パネルは、前記演算項目入力欄ごとに、前記動作タイミングの時間値を入力するための時間入力欄を有していることを特徴とする請求項３に記載の信号処理装置。
【請求項５】
前記操作パネルは、前記演算項目入力欄ごとに、前記論理演算実行手段による前記出力信号を前記周辺機器に出力する実行モードと前記出力信号を前記周辺機器に出力しない表示モードとを切換えるための出力選択欄を有していることを特徴とする請求項１から４のいずれか１項に記載の信号処理装置。
【請求項６】
前記演算式選択部によって選択された前記論理演算式の項目が前記第１の信号入力欄のみで論理演算が成立する項目のときには、前記第２の信号入力欄を表示しないことを特徴とする請求項１記載の信号処理装置。
【発明の詳細な説明】
【技術分野】
【０００１】
この発明は、射出成形機の周辺機器等を作動させるための信号を出力することができる信号処理装置に関する。
【背景技術】
【０００２】
例えば電動式の射出成形機では予め組込まれたシーケンスプログラムに基いて、型閉、射出、保圧、計量、型開などの一連のサイクルを所定の順序で繰返すことにより、射出成形品を能率良く製造するように構成されている。また射出成形機には、ユーザ側の希望に応じて、例えば各種ランプやブザー、コンベア、良品不良品振り分けシュートなどの周辺機器が付属していることがある。これら周辺機器は、例えば射出成形機の運転中に出力される各種信号によって作動するようになっている。
【０００３】
前記シーケンスプログラムは射出成形機の動作の根幹に関わるものであるため、シーケンスプログラムの変更等に対しては慎重に対応する必要がある。ユーザ側で周辺機器の変更や追加等が生じたときに、周辺機器のためにシーケンスプログラムを変更することがあるが、その場合には時間をかけて慎重にシーケンスプログラムを検討する必要がある。またシーケンスプログラムを比較的容易に変更できるように、例えば下記の特許文献１に開示されているようにラダープログラムを自動生成するプログラミング装置が提案されている。
【０００４】
また下記の特許文献２に開示されているように、シーケンスプログラムを変更することなく周辺機器を動作させるための信号を出力させることができる信号処理装置も提案されている。特許文献２の信号処理装置は、成形サイクル毎に繰り返される複数の状態信号のうちのいくつかの信号の論理和と、成形サイクルとは無関係な状態信号の論理和との論理積から得られる出力信号に基いて、条件が満たされたときに周辺機器を作動させるようにしている。
【先行技術文献】
【特許文献】
【０００５】
【特許文献１】特開平６−４１１１号公報
【特許文献２】特開２００７−１４０８５３号公報
【発明の概要】
【発明が解決しようとする課題】
【０００６】
前記特許文献１のようにシーケンスプログラム自体を変更した場合、射出成形機の動作に影響が生じないようにするために、長時間をかけて慎重にシーケンスプログラムを精査し、再検討する必要がある。一般にシーケンスプログラムの変更は、ユーザ側ではなく射出成形機のメーカ側が行うようにしているが、作業に長時間が必要であり、コストもかなり高くなる。しかも周辺機器はユーザ側の都合で様々な形態をとるため、周辺機器が変わるたびにシーケンスプログラムを手直しすることは実用的ではない。またシーケンスプログラムの変更作業を行っている間は、その射出成形機を使用することができないという問題がある。
【０００７】
一方、特許文献２のように、予め用意された第１の論理和の欄に入力された信号と第２の論理和の欄に入力された信号との論理積によって出力信号を得るようにした場合には、入力された信号の組合せによって得られる出力信号が限られるため、ユーザ側が必要に応じて使用する多岐多様にわたる周辺機器に対応できない。すなわち射出成形機のメーカ側では予想がつかないような様々な条件で作動させることが要求される周辺機器に対応できるようなバリエーションに富んだ出力信号を得ることが困難である。このため周辺機器によってはシーケンスプログラムを変更する必要が生じてしまう。
【０００８】
従ってこの発明の目的は、射出成形機の様々な周辺機器を動作させるのに必要なバリエーションに富んだ出力信号をシーケンスプログラムを変更することなく操作パネルを用いて設定することができる信号処理装置を提供することにある。
【課題を解決するための手段】
【０００９】
本発明は、射出成形機の制御装置に接続される操作パネルを有する信号処理装置であって、ＩＭＰ、ＸＯＲ、ＮＩＭＰ及びＮＸＯＲを含む複数の論理演算式を表す項目を個々に表示しかつこれら論理演算式を表す項目を、それぞれの論理演算式を選択するためのスイッチ機能とする演算式選択部と、前記演算式選択部によって選択された前記論理演算式の項目が入力される複数列の演算項目入力欄と、前記射出成形機の状態を表わす複数種類の信号名を表示しかつこれら信号名の中から所望の信号名を選択するためのスイッチ機能を有する信号名選択部と、前記演算項目入力欄ごとに設けられ、前記信号名選択部によって選択された信号名が入力される第１の信号入力欄と、前記演算項目入力欄ごとに設けられ、前記信号名選択部によって選択された信号名が入力される第２の信号入力欄と、前記射出成形機の運転中に前記第１の信号入力欄および前記第２の信号入力欄に入力されている各信号名に対応する各信号を前記演算項目入力欄に入力された項目の前記論理演算式に基いて処理することにより、前記射出成形機の周辺機器のための出力信号を得る論理演算実行手段とを具備している。
【００１０】
前記信号名選択部は、前記射出成形機の状態を表わす信号名以外にＩ／Ｏアドレスを直接入力するためのＩ／Ｏ選択部を有していてもよい。
【００１１】
この発明の好ましい形態では、前記操作パネルは、前記論理演算実行手段の論理演算によって得られる前記出力信号の動作タイミングを選択可能な動作タイミング選択部と、該動作タイミング選択部によって選択された前記動作タイミングを前記演算項目入力欄ごとに入力する動作タイミング入力欄とを有し、前記動作タイミングに応じて前記周辺機器に前記出力信号を出力する。
【００１２】
また前記操作パネルは、前記演算項目入力欄ごとに、前記動作タイミングの時間値を入力するための時間入力欄を有していてもよい。あるいは前記操作パネルは、前記演算項目入力欄ごとに、前記論理演算実行手段による前記出力信号を前記周辺機器に出力する“実行モード”と前記出力信号を前記周辺機器に出力しない“表示モード”とを切換えるための出力選択欄を有していてもよい。
【発明の効果】
【００１３】
本発明によれば、射出成形機を使用するユーザ側が必要に応じて設置する多種多様な周辺機器を作動させるのに必要な条件を満足できるようなバリエーションに富んだ出力信号を得ることができ、その出力信号を得るための条件をユーザ側が理解しやすい信号名等を用いて操作パネルによって臨機応変に設定することができ、シーケンスプログラムを変更する必要がない。このため周辺機器の追加や変更、動作条件の変更等が生じた場合にも、ユーザ側が行う入力作業によって比較的短時間に対応することが可能である。
【図面の簡単な説明】
【００１４】
【図１】本発明の１つの実施形態に係る信号処理装置を備えた射出成形機の側面図。
【図２】図１に示された射出成形機の制御装置および操作パネル等を示すブロック図。
【図３】図１に示された射出成形機の操作パネルの入力手順を示すフローチャート。
【図４】図１に示された射出成形機の操作パネルの初期画面を示す正面図。
【図５】前記操作パネルのオプション画面の１つの例を示す正面図。
【図６】前記オプション画面に表示された演算式選択用ウィンドウを示す正面図。
【図７】前記オプション画面に表示された信号名選択用ウィンドウを示す正面図。
【図８】前記オプション画面に表示された動作タイミング選択用ウィンドウを示す正面図。
【図９】（ａ）〜（ｇ）は、それぞれ前記動作タイミングの信号Ｙと出力信号との関係を示すタイムチャート。
【図１０】前記オプション画面に表示された時間入力用ウィンドウを示す正面図。
【図１１】前記オプション画面の１番目の入力列の入力が終了した状態を示す正面図。
【図１２】前記オプション画面の１〜５番目の入力列の入力が終了した状態を示す正面図。
【発明を実施するための形態】
【００１５】
以下に本発明の一実施形態について、図１〜図１２を参照して説明する。  
図１は電動式の射出成形機１０を示している。この射出成形機１０は、射出成形動作をつかさどるコンピュータプログラム等が組込まれた制御装置１１と、制御装置１１を収容するフレームを含むボディ１２と、ボディ１２上に配置された射出装置１３および型締装置１４と、操作パネル１５などを備えている。
【００１６】
またこの射出成形機１０には、射出成形機１０に関連して作動する複数の周辺機器２０ａ〜２０ｎが接続されている。周辺機器２０ａ〜２０ｎは、例えば各種表示ランプ、ブザー、コンベア、良品不良品仕分け用シュート、金型自動交換装置をはじめとして、射出成形機１０の使用者（ユーザ）が必要に応じて採用する各種機器類であり、その種類は限定されない。いずれも射出成形機１０の状態に応じて作動する機器類である。
【００１７】
図２は制御装置１１を含むブロック図である。制御装置１１に操作パネル１５と、不揮発性のＰＲＯＭ３０と、ワークメモリとして機能するＲＡＭ３１などが接続されている。ＰＲＯＭ３０には、この射出成形機１０を所定のシーケンスで作動させるためのシーケンスプログラムが組込まれている。制御装置１１のＣＰＵは制御演算手段として機能し、前記シーケンスプログラムに基いて、射出装置１３や型締装置１４、エジェクタ機構（図示せず）等の射出成形に関与する信号が所定の順序で出力され、射出成形サイクルが繰返されるようになっている。
【００１８】
また前記制御装置１１には、出力先である端子４０を介して、周辺機器２０ａ〜２０ｎが接続されている。すなわちこの制御装置１１は、射出装置１３や型締装置１４をはじめとする射出成形のための各種機器を作動させるための信号を出力するとともに、必要に応じて周辺機器２０ａ〜２０ｎを作動させる機能を有している。制御装置１１と操作パネル１５およびＲＡＭ３１などによって、本発明に係る信号処理装置が構成されている。
【００１９】
操作パネル１５の一例はタッチパネルである。タッチパネルは表示装置（ディスプレイパネル）と入力装置とを兼ねていて、射出成形を行う現場でも使用勝手が良いため、操作パネル１５として適している。ただしキーボードあるいはマウス等を用いた入力装置と、表示部とが分かれているような操作パネルが使用されてもよい。
【００２０】
図３は、前記周辺機器２０ａ〜２０ｎを作動させるのに必要な各種データを操作パネル１５に入力する操作の概略を示している。操作パネル１５から入力する各種データはＲＡＭ３１に記憶されるようになっている。図４〜図１２は、操作パネル１５のオプション画面の一例を示している。
【００２１】
図３に示された入力操作のフローチャートは、上から順に、オプション選択ステップＳ１と、信号出力画面選択ステップＳ２と、演算項目入力ステップＳ３と、信号入力ステップＳ４と、動作タイミング選択ステップＳ５と、出力オンオフ選択ステップＳ６と、信号名入力ステップＳ７などを含んでいる。
【００２２】
図４は、射出成形機１０の電源をオンにしたときに操作パネル１５に表示される初期画面（一括設定画面）５０を模式的に示している。初期画面５０の一部に、オプション選択アイコン５１が表示されている。
【００２３】
図３に示されたオプション選択ステップＳ１において、図４のオプション選択アイコン５１をオン操作すると、画面が切換わり、複数種類のオプション選択タブ５５（図５に示す）が表示される。これらオプション選択タブ５５の一部に信号出力画面用タブ５５ａが含まれている。
【００２４】
図３に示された信号出力画面選択ステップＳ２において、前記オプション選択タブ５５のうちの信号出力画面用タブ５５ａをオン操作すると、図５の信号出力オプション画面６０が表示される。オプション選択タブ５５のうち、信号出力画面用タブ５５ａ以外のタブをオン操作すれば、他のオプション画面を表示することができるが、本発明を説明する上で重要でないため説明を省略する。
【００２５】
図５に示す信号出力オプション画面６０では、上から下に複数（例えば８列）の入力列６１ａ〜６１ｈが表示されている。この信号出力オプション画面６０は複数のグループが存在し、グループ選択ボタン６２を操作することにより、いずれか１つのグループを選択して表示することができるが、互いに内容が共通であるため、以下に第１のグループの信号出力オプション画面６０を代表して説明する。
【００２６】
図５に示された信号出力オプション画面６０に表示された入力列６１ａ〜６１ｈは、それぞれ、左から右に向って、演算項目入力欄７０と、第１の信号入力欄７１と、第２の信号入力欄７２と、動作タイミング入力欄７３と、時間入力欄７４と、出力選択欄７５と、出力信号名表示欄７６とを有している。
【００２７】
初期状態では、演算項目入力欄７０の全てに論理演算項目の“Ａ”が表示され、かつ、第１の信号入力欄７１に入力ボックス（箱形のスペース）が表示されている。動作タイミング入力欄７３には全て“同期”が表示され、出力選択欄７５には“ＯＦＦ”が表示されている。出力信号名表示欄７６には、例えば“ＴＥＳＴ１”〜“ＴＥＳＴ８”が表示されている。
【００２８】
図３に示された演算項目入力ステップＳ３において、前記オプション画面６０（図５）の演算項目入力欄７０をオン操作する。演算項目入力欄７０がオン操作されると、図６に示されるように、画面６０の一部に演算式選択用ウィンドウ８０すなわち演算式選択部が表示される。このウィンドウ８０に表示される論理演算式は、Ａ、ＮＯＴＡ、ＡＮＤ、ＮＡＮＤ、ＯＲ、ＮＯＲ、ＩＭＰ、ＮＩＭＰ、ＸＯＲ、ＸＮＯＲの１０種類である。これら論理演算式のうちＮＯＴＡ、ＮＡＮＤ、ＮＯＲ、ＮＩＭＰ、ＸＮＯＲが否定論理演算式である。
【００２９】
次表１は、前記１０種類の論理演算式において、第１の信号Ａと第２の信号Ｂのオン・オフと、論理演算の結果として得られる信号Ｙのオン・オフとの関係を表わしている。表１中の“○”は信号Ｙがオン状態となり、“×”は信号Ｙがオフ状態になることを示している。
【００３０】
【表１】
0005572343.tif 000002
【００３１】
図６の演算式選択用ウィンドウ８０において、信号Ａ，Ｂの処理に関わる所望の論理演算式を選択し、オン操作すると、その論理演算式が演算項目入力欄７０に表示される。この演算式選択用ウィンドウ（演算式選択部）８０は、論理演算式を選択して演算項目入力欄７０に入力するためのスイッチ機能を有している。
【００３２】
演算項目入力欄７０に入力された演算項目が“Ａ”また“ＮＯＴＡ”以外のとき、図６に示すように第１の信号入力欄７１と第２の信号入力欄７２のそれぞれに、入力用ボックス（箱形のスペース）が表示される。演算項目入力欄７０に入力された演算項目が“Ａ”または“ＮＯＴＡ”のときには、第１の信号入力欄７１のみで論理演算が成立するため、第１の信号入力欄７１の入力用ボックスのみが表示され、第２の信号入力欄７２の入力用ボックスは表示されない。
【００３３】
図３に示された信号入力ステップＳ４において、第１の信号入力欄７１の入力用ボックスをオン操作すると、図７に示すように信号名選択用ウィンドウ９０すなわち信号名選択部が表示される。このウィンドウ９０には射出成形機の状態や動作等に関連した複数種類の信号名が表示され、所望の信号名を選択できるようになっている。信号名選択用ウィンドウ９０に表示された信号名を選択しオン操作をすると、その信号名が第１の信号入力欄７１に表示される。
【００３４】
なお、信号名選択用ウィンドウ９０（図７）には、射出成形機の状態を表わす信号名以外に、Ｉ／Ｏアドレスを直接入力することができるＩ／Ｏ選択部９１が設けられており、Ｉ／Ｏ選択部９１をオン操作することによって、画面上で直接Ｉ／Ｏアドレスを指定することができるようになっている。このウィンドウ９０は、様々な信号名を数多く表示できるように複数の画面（ページ）が存在し、操作ボタン９２，９３を操作することにより、ページを順次切換えて所望の信号を選択できるようになっている。
【００３５】
第１の信号入力欄７１に信号名を入力したのち、第２の信号入力欄７２の入力用ボックスをオン操作する。そして信号名選択用ウィンドウ９０に表示された信号名を選択してオン操作をすると、その信号名が第２の信号入力欄７２に表示される。この信号名選択用ウィンドウ９０は、選択された信号名を信号入力欄７１，７２に入力するためのスイッチ機能を有している。
【００３６】
さらに、図３に示された動作タイミング選択ステップＳ５において、出力信号の動作タイミングが設定される。すなわち動作タイミング入力欄７３の入力用ボックスをオン操作すると、図８に示すように、動作タイミング選択用ウィンドウ１００が表示される。このウィンドウ１００は動作タイミング選択部としてのスイッチ機能を有し、以下に説明する７種類の動作タイミング（同期、入遅延、切遅延、時限、継続、断続、保持）が表示されている。
【００３７】
図９の（ａ）〜（ｇ）は、各動作タイミングごとの信号Ｙと出力信号との関係を示している。（ａ）の“同期”においては、信号Ｙと同じタイミングで出力信号がオンになる。（ｂ）の“入遅延”は、信号Ｙがオンしてから時間ｔだけ遅れて出力信号がオンとなる。（ｃ）の“切遅延”の場合は、信号Ｙがオフしてから時間ｔ後に出力信号がオフとなる。（ｄ）の“時限”では、信号Ｙがオンすると同時に出力信号がオンになるが、時間ｔ後に出力信号がオフとなる。
【００３８】
図９の（ｅ）の“継続”では、信号Ｙがオンになると同時に出力信号がオンになり、時間ｔが経過するまで出力信号のオン状態が継続される。（ｆ）の“断続”では、信号Ｙがオンになっている間、時間ｔのインターバルで出力信号がオンを繰り返す。（ｇ）の“保持”は、信号Ｙがオンすると出力信号がオンとなり、電源がオフするまで出力信号がオン状態が維持される。
【００３９】
図３に示された動作タイミング選択ステップＳ５において、前記動作タイミング選択用ウィンドウ１００（図８）に表示された動作タイミングの中から所望の動作タイミングを選択し、オン操作すると、選択された動作タイミングが動作タイミング入力欄７３に入力される。選択されたタイミング動作が“同期”と“保持”以外のとき、時間入力欄７４に入力ボックスが表示されるとともに、図１０に示すように時間入力用ウィンドウ１１０が表示される。このウィンドウ１１０によって時間を入力すると、その時間値（ｔ）が時間入力欄７４に表示される。
【００４０】
図３に示された出力オンオフ選択ステップＳ６において、出力選択欄７５を“ＯＮ”または“ＯＦＦ”に選択する。初期状態は“ＯＦＦ”であるが、出力選択欄７５が操作されるたびに、“ＯＦＦ”と“ＯＮ”が交互に切換わる。出力選択欄７５が“ＯＮ”に切換わると、出力選択欄７５がピンク色で表示される。
【００４１】
出力選択欄７５が“ＯＮ”の場合、この入力列６１ａに入力されている論理演算式によって第１および第２の信号Ａ，Ｂの条件が満たされたときの出力信号が、周辺機器用の端子４０に出力される。つまり出力選択欄７５が“ＯＮ”のときには、出力信号が周辺機器用に出力される“実行モード”となる。
【００４２】
出力選択欄７５が“ＯＦＦ”の場合には、この入力列６１ａに入力されている論理演算式によって第１および第２の信号Ａ，Ｂの条件が満たされたときの出力信号が、周辺機器用の端子４０に出力されることはなく、単に表示のみがなされる“表示モード”となる。
【００４３】
図３に示された信号名入力ステップＳ７において、出力信号名表示欄７６をオン操作すると、キーボードを模したウィンドウ（ソフトウェア・キーボード）が画面６０の一部に表示されることにより、所望の出力信号名を入力することができる。図１１の例では、出力選択欄７５が“ＯＮ”に設定され、出力信号名表示欄７６が“ＳＩＧＮＡＬ１”に設定されている。
【００４４】
出力選択欄７５が“ＯＦＦ”の表示モードの場合には、当該入力列６１ａの論理演算によって出力信号がオンになったときに、出力信号名表示欄７６が青色に切換わる。出力選択欄７５が“ＯＮ”の実行モードの場合には、この入力列６１ａの論理演算によって出力信号がオンになったときに、出力信号名表示欄７６が赤色に変化することにより、出力信号が周辺機器用の端子４０に出力されたことを確認しやすくしている。図１１の例では、自動運転中でかつ計量が完了したときに、１．０秒の入遅延のもとでＳＩＧＮＡＬ１に信号が出力されることになる。
【００４５】
以上説明した一連の入力操作により、上から１番目の入力列６１ａの入力が終了する。上から２番目（２列目）以降の各入力列６１ｂ〜６１ｈも１列目と同様に入力することができる。図１２は１〜５列目までの入力列６１ａ〜６１ｅに入力した例を示している。このように、操作パネル１５のオプション画面６０を利用して、演算項目入力欄７０、第１の信号入力欄７１、第２の信号入力欄７２が入力され、さらに必要に応じて動作タイミング入力欄７３、時間入力欄７４が入力される。また、出力選択欄７５と出力信号名表示欄７６への入力がなされる。入力されたデータは、ＲＡＭ３１のワークメモリに設けられたテーブル（図示せず）に順次入力される。
【００４６】
射出成形機１０は、射出成形品を製造する際に、ＰＲＯＭ３０に組込まれているシーケンスプログラムに基き、制御装置１１のＣＰＵによって、型閉、射出、保圧、計量、型開などの一連のサイクルを所定の順序で繰返す。制御装置１１は、射出成形機１０が射出動作を行っている間、射出成形機１０のサイクルごとに制御装置１１から出力される信号に基いて、操作パネル１５に入力されている各入力列６１ａ〜６１ｈの論理演算式が実行される。すなわち射出成形機１０が運転されている間、各入力列６１ａ〜６１ｈに入力されているデータが順次処理され、各入力列６１ａ〜６１ｈごとに、演算項目入力欄７０に入力されている論理演算式に基いて、第１の信号入力欄７１と第２の信号入力欄７２に対応する信号の論理演算が行われる。
【００４７】
そして論理演算が満たされたときの出力信号が、必要に応じて動作タイミング入力欄７３と時間入力欄７４に入力されたデータに基いて処理され、出力選択欄７５が“ＯＮ”になっている場合には、出力信号名表示欄７６が赤色に切換わるとともに、その出力信号が端子４０を介して周辺機器２０ａ〜２０ｎに出力されることにより、所定の周辺機器を動作させることができる。出力選択欄７５が“ＯＦＦ”のときには出力信号名表示欄７６が青色となり、表示のみがなされる。
【００４８】
このように本実施形態の制御装置１１は、射出成形機１０の運転中に第１の信号入力欄７１および第２の信号入力欄７２に入力されている各信号名に対応する信号を各演算項目入力欄７０に入力された論理演算式に基いて処理するものであり、周辺機器のための出力信号を得る論理演算実行手段として機能する。
【００４９】
以上説明したように、本実施形態の射出成形機１０は、操作パネル１５に設定された入力データに基いて、例えば各種ランプやコンベア、シュートなどの周辺機器を、射出成形機１０の動作に応じて出力される信号によって作動させることができ、周辺機器を作動させるための種々の出力信号をユーザが操作可能な操作パネル１５を用いて任意に選択することができる。操作パネル１５によって選択可能な論理演算項目には多様な否定論理演算式が含まれているため、周辺機器の目的に応じた様々な態様の出力信号を得ることができ、出力信号のバリエーションがきわめて多彩である。
【００５０】
このため射出成形機のメーカ側では予測しがたい様々な出力が要望される周辺機器に対してシーケンスプログラムを変更することなく対応することができ、周辺装置の変更や追加、作動条件の変更が生じたときにも対応できる。そしてシーケンスプログラムを変更しないですむため、射出成形機の動作に影響が生じることを回避でき、ユーザ側の対応によって様々な周辺機器に対応することが可能となる。
【００５１】
なお本発明を実施するに当たって、射出成形機および周辺機器等の具体的な構成や配置をはじめとして、操作パネルの画面の具体的な態様や操作パネルに表示される演算項目、信号名、動作タイミング、その他の項目等を、発明を逸脱しない範囲で様々に変形して実施できることは言うまでもない。
【符号の説明】
【００５２】
１０…射出成形機
１１…制御装置（論理演算実行手段）
１５…操作パネル
２０ａ〜２０ｎ…周辺機器
７０…演算項目入力欄
７１…第１の信号入力欄
７２…第２の信号入力欄
７３…動作タイミング入力欄
７４…時間入力欄
７５…出力選択欄
７６…出力信号名表示欄
８０…演算式選択用ウィンドウ（演算式選択部）
９０…信号名選択用ウィンドウ（信号名選択部）
９１…Ｉ／Ｏ選択部
【図１】
0005572343.tif 000003
【図２】
0005572343.tif 000004
【図３】
0005572343.tif 000005
【図４】
0005572343.tif 000006
【図５】
0005572343.tif 000007
【図６】
0005572343.tif 000008
【図７】
0005572343.tif 000009
【図８】
0005572343.tif 000010
【図９】
0005572343.tif 000011
【図１０】
0005572343.tif 000012
【図１１】
0005572343.tif 000013
【図１２】
0005572343.tif 000014